(57)【特許請求の範囲】
【請求項１】
直交周波数分割多重化が施された中間周波信号をサンプリングすることにより得られた受信データから伝送データを復調する直交周波数分割多重信号受信装置であって、
受信データを適応フィルタにより等化したのち離散フーリエ変換を施すことにより、伝送データを復調する復調手段を備え、
前記復調手段は、前記適応フィルタに入力される受信データに離散フーリエ変換を施すことにより得られた受信シンボルと、前記適応フィルタから出力されたデータに離散フーリエ変換を施すことにより得られた復調データとを用いて、前記適応フィルタにおけるフィルタ係数を制御する係数制御手段を備える、
ことを特徴とする直交周波数分割多重信号受信装置。
【請求項２】
前記復調手段は、前記適応フィルタから出力されたデータをフィルタリングしてアナログ変調波を抽出するアナログ復調手段を備える、
ことを特徴とする請求項１に記載の直交周波数分割多重信号受信装置。
【請求項３】
前記復調手段は、前記適応フィルタから出力されたデータに離散フーリエ変換を施すことにより得られた復調データからパイロット信号を検出し、検出結果に基づいて伝送路応答を補間して推定し、復調データを推定した伝送路応答で除算することにより等化する、
ことを特徴とする請求項１に記載の直交周波数分割多重信号受信装置。
【請求項４】
直交周波数分割多重化が施された中間周波信号をサンプリングすることにより得られた受信データから伝送データを復調する直交周波数分割多重信号受信装置であって、
受信データをフィルタ係数可変でフィルタリングして等化するフィルタリング手段と、
前記フィルタリング手段により等化されたデータに離散フーリエ変換を施して復調データを特定する第１のフーリエ変換手段と、
受信データにフーリエ変換を施して受信シンボルを特定する第２のフーリエ変換手段と、
前記第１のフーリエ変換手段により特定された復調データと、前記第２のフーリエ変換手段により特定された受信シンボルとを用いて、前記フィルタリング手段のフィルタ係数を制御する係数制御手段とを備える、
ことを特徴とする直交周波数分割多重信号受信装置。
【請求項５】
前記係数制御手段は、前記第１のフーリエ変換手段により特定された復調データと、前記第２のフーリエ変換手段により特定された受信シンボルとを用いて、ＬＭＳ（Least Mean Square）アルゴリズムに従って前記フィルタリング手段のフィルタ係数を制御する、
ことを特徴とする請求項４に記載の直交周波数分割多重信号受信装置。
【請求項６】
前記係数制御手段は、前記第１のフーリエ変換手段により特定された復調データのうちでパイロット信号を伝送したものと、受信側にて振幅及び位相が既知のパイロット信号との残差を低減させるべく、前記フィルタリング手段のフィルタ係数を制御する、
ことを特徴とする請求項４又は５に記載の直交周波数分割多重信号受信装置。
【請求項７】
直交周波数分割多重化が施された中間周波信号をサンプリングすることにより得られた受信データから伝送データを復調する直交周波数分割多重信号受信方法であって、
受信データをフィルタ係数可変でフィルタリングして等化するフィルタリングステップと、
前記フィルタリングステップにて等化されたデータに離散フーリエ変換を施して復調データを特定する第１のフーリエ変換ステップと、
受信データに離散フーリエ変換を施して受信シンボルを特定する第２のフーリエ変換ステップと、
前記第１のフーリエ変換ステップにて特定した復調データと、前記第２のフーリエ変換ステップにて特定した受信シンボルとを用いて、前記フィルタリングステップにおけるフィルタ係数を制御する係数制御ステップとを備える、
ことを特徴とする直交周波数分割多重信号受信方法。
【請求項８】
コンピュータに、
受信データをフィルタ係数可変でフィルタリングして等化するフィルタリング処理と、
前記フィルタリング処理にて等化されたデータに離散フーリエ変換を施して復調データを特定する第１のフーリエ変換処理と、
受信データに離散フーリエ変換を施して受信シンボルを特定する第２のフーリエ変換処理と、
前記第１のフーリエ変換処理により特定した復調データと、前記第２のフーリエ変換処理により特定した受信シンボルとを用いて、前記フィルタリング処理におけるフィルタ係数を制御する係数制御処理とを実行させる、
ことを特徴とするプログラム。
【発明の詳細な説明】
【０００１】
【発明の属する技術分野】
この発明は、直交周波数分割多重化が施された信号を受信して伝送データを復調する直交周波数分割多重信号受信装置に係り、特に、伝送路応答を適切に補償して伝送データを復調可能とする直交周波数分割多重信号受信装置に関する。
【０００２】
【従来の技術】
ディジタル信号を伝送する方式の１つとして、直交周波数分割多重（ＯＦＤＭ；Orthogonal Frequency Division Multiplex）方式が知られている。
この直交周波数分割多重方式は、１つのチャンネル帯域内で多数のキャリアを多重化して伝送し、これら多数のキャリアに含まれる所定のキャリアを用いて、受信側で既知となっている振幅、位相を有するパイロット信号を伝送する。
こうした多数のキャリア信号から構成される直交周波数分割多重信号を受信して伝送データを復調する従来の受信装置は、パイロット信号を用いることにより、伝送路応答を、ある程度補償することができる。
【０００３】
すなわち、図７に示すような構成を有する従来の受信装置は、直並列変換器５０が、例えばＡ／Ｄ（Analog/Digital）変換器等により中間周波信号をサンプリングすることで得られた受信データｘｓを受け、１シンボル分の並列データｘに集約する。離散フーリエ変換器５１は、直並列変換器５０から送られた並列データｘにフーリエ変換を施すことにより伝送データを復調し、受信シンボルＸを得る。また、パイロット検出器５４は、受信シンボルＸより抽出したパイロット信号から、伝送路のマルチパス等による振幅、位相の変化を検出し、例えばパイロット周波数ｆｐｉ（ｉ＝１、２、…）における伝送路応答Ｈｐｉを特定する。補間器５３は、伝送路応答Ｈｐｉを補間して、データ周波数ｆｄｉにおける伝送路応答Ｈｄｉを推定する。除算器５２は、Ｙｄｉ＝Ｘｄｉ／Ｈｄｉを計算することにより、等化後のデータＹを得ることができる。
【０００４】
ここで、パイロット信号は、所定の周波数間隔を有する複数のキャリアを用いて伝送される。例えば、図８に示す周波数ｆｐ１、ｆｐ２、ｆｐ３、ｆｐ４を有する４本のキャリアを用いて、パイロット信号が伝送される。また、データ信号を伝送するためのキャリアは、パイロット信号を伝送するキャリアの周波数間隔よりも狭い所定の周波数間隔を有している。すなわち、例えば図８に示す周波数ｆｄ１、ｆｄ２、…を有するキャリアにより、データ信号が伝送される。
補間器５３は、周波数ｆｐｉ（ｉ＝１、２、３、４）における伝送路応答を０次又は１次補間することにより、周波数ｆｄｉにおける伝送路応答Ｈｄｉを推定する。
【０００５】
【発明が解決しようとする課題】
上記従来技術では、反射波が１本のみの単純な伝送路の場合には、補間器５３による伝送路応答の補間が有効である。しかし、多数の反射波が重畳される複雑な伝送路の場合には、伝送路応答を補償できなくなるという問題があった。
【０００６】
また、直交周波数分割多重方式によりディジタルデータが伝送されるとともに、同一帯域内でアナログ変調波を多重伝送する場合には、アナログ変調波に対して伝送路応答を補償できなくなるという問題があった。
【０００７】
この発明は、上記実状に鑑みてなされたものであり、伝送路応答を適切に補償して伝送データを復調することができる直交周波数分割多重信号受信装置を、提供することを目的とする。
【０００８】
【課題を解決するための手段】
上記目的を達成するため、この発明の第１の観点に係る直交周波数分割多重信号受信装置は、
直交周波数分割多重化が施された中間周波信号をサンプリングすることにより得られた受信データから伝送データを復調するものであって、
受信データを適応フィルタにより等化したのち離散フーリエ変換を施すことにより、伝送データを復調する復調手段を備え、
前記復調手段は、前記適応フィルタに入力される受信データに離散フーリエ変換を施すことにより得られた受信シンボルと、前記適応フィルタから出力されたデータに離散フーリエ変換を施すことにより得られた復調データとを用いて、前記適応フィルタにおけるフィルタ係数を制御する係数制御手段を備える、
ことを特徴とする。
【０００９】
この発明によれば、受信データを適応フィルタにより等化したのち離散フーリエ変換を施すことにより、伝送データを復調する。
これにより、伝送路応答を適切に補償して伝送データを復調することができる。
【００１１】
また、前記復調手段は、前記適応フィルタから出力されたデータをフィルタリングしてアナログ変調波を抽出するアナログ復調手段を備えることが望ましい。
これにより、同一帯域内でアナログ変調波が多重伝送されている場合に、アナログ変調波に対する伝送路応答を適切に補償することができる。
【００１２】
また、前記復調手段は、前記適応フィルタから出力されたデータに離散フーリエ変換を施すことにより得られた復調データからパイロット信号を検出し、検出結果に基づいて伝送路応答を補間して推定し、復調データを推定した伝送路応答で除算することにより等化することが望ましい。
これにより、適応フィルタの等化により補償された伝送路応答の残差を除去することができ、伝送路応答をより適切に補償することができる。
【００１３】
この発明の第２の観点に係る直交周波数分割多重信号受信装置は、
直交周波数分割多重化が施された中間周波信号をサンプリングすることにより得られた受信データから伝送データを復調するものであって、
受信データをフィルタ係数可変でフィルタリングして等化するフィルタリング手段と、
前記フィルタリング手段により等化されたデータに離散フーリエ変換を施して復調データを特定する第１のフーリエ変換手段と、
受信データにフーリエ変換を施して受信シンボルを特定する第２のフーリエ変換手段と、
前記第１のフーリエ変換手段により特定された復調データと、前記第２のフーリエ変換手段により特定された受信シンボルとを用いて、前記フィルタリング手段のフィルタ係数を制御する係数制御手段とを備える、
ことを特徴とする。
【００１４】
この発明によれば、係数制御手段は、第１のフーリエ変換手段により特定された復調データと、第２のフーリエ変換手段により特定された受信シンボルとを用いて、フィルタリング手段のフィルタ係数を制御する。フィルタリング手段は、受信データをフィルタリングし、第１のフーリエ変換手段により離散フーリエ変換を施すことにより、復調データを特定する。
これにより、伝送路応答を適切に補償して伝送データを復調することができる。
【００１５】
より具体的には、前記係数制御手段は、前記第１のフーリエ変換手段により特定された復調データと、前記第２のフーリエ変換手段により特定された受信シンボルとを用いて、ＬＭＳ（Least Mean Square）アルゴリズムに従って前記フィルタリング手段のフィルタ係数を制御することが望ましい。
【００１６】
前記係数制御手段は、前記第１のフーリエ変換手段により特定された復調データのうちでパイロット信号を伝送したものと、受信側にて振幅及び位相が既知のパイロット信号との残差を低減させるべく、前記フィルタリング手段のフィルタ係数を制御することが望ましい。
【００１７】
この発明の第３の観点に係る直交周波数分割多重信号受信方法は、
直交周波数分割多重化が施された中間周波信号をサンプリングすることにより得られた受信データから伝送データを復調する方法であって、
受信データをフィルタ係数可変でフィルタリングして等化するフィルタリングステップと、
前記フィルタリングステップにて等化されたデータに離散フーリエ変換を施して復調データを特定する第１のフーリエ変換ステップと、
受信データに離散フーリエ変換を施して受信シンボルを特定する第２のフーリエ変換ステップと、
前記第１のフーリエ変換ステップにて特定した復調データと、前記第２のフーリエ変換ステップにて特定した受信シンボルとを用いて、前記フィルタリングステップにおけるフィルタ係数を制御する係数制御ステップとを備える、
ことを特徴とする。
【００１８】
この発明の第４の観点に係るプログラムは、
コンピュータに、
受信データをフィルタ係数可変でフィルタリングして等化するフィルタリング処理と、
前記フィルタリング処理にて等化されたデータに離散フーリエ変換を施して復調データを特定する第１のフーリエ変換処理と、
受信データに離散フーリエ変換を施して受信シンボルを特定する第２のフーリエ変換処理と、
前記第１のフーリエ変換処理により特定した復調データと、前記第２のフーリエ変換処理により特定した受信シンボルとを用いて、前記フィルタリング処理におけるフィルタ係数を制御する係数制御処理とを実行させる、
ことを特徴とする。
【００１９】
【発明の実施の形態】
以下に、図面を参照して、この発明の実施の形態に係る直交周波数分割多重信号受信装置について詳細に説明する。
【００２０】
図１は、この発明の実施の形態に係る直交周波数分割多重信号受信装置１００の構成を示す図である。
図示するように、この直交周波数分割多重信号受信装置１００は、適応フィルタ１と、第１及び第２の直並列変換器２、３と、第１及び第２の離散フーリエ変換器４、５と、係数制御器６とを備えている。
【００２１】
適応フィルタ１は、例えばタップ数がＬ（Ｌは整数）のＦＩＲ（Finite Impulse Response）フィルタである。
すなわち、適応フィルタ１は、例えば受信信号をサンプリングすることにより得られた受信データｘｓをフィルタ係数可変でフィルタリングして、直列データｙｓを生成する。
このため、適応フィルタ１は、図２に示すように、受信データｘｓを遅延させるための（Ｌ−１）個の遅延回路１０１、１０２、…、１０Ｌ−１と、Ｌ個の乗算器１１０、１１１、…、１１Ｌ−１と、加算器１２とを備えている。
【００２２】
遅延回路１０１〜１０Ｌ−１は、それぞれ伝達関数ｚ−１を有する遅延素子から構成され、互いにカスケード接続されて受信データｘｓを遅延させるためのものである。
ここで、伝達関数ｚ−１は、ｚ変換において、１ステップ分のサンプリングステップに相当する時間だけ信号を遅延させる作用を示す伝達関数である。
【００２３】
乗算器１１０〜１１Ｌ−１は、受信データｘｓ及び、それを遅延回路１０１〜１０Ｌ−１により遅延させたデータに、それぞれ係数制御器６により生成されたフィルタ係数ｃ０、ｃ１、…、ｃＬ−１を掛け合わせるためのものである。
【００２４】
加算器１２は、各乗算器１１０〜１１Ｌ−１によりフィルタ係数が掛け合わされた信号を加え合わせて合成し、直列データｙｓを生成するためのものである。
【００２５】
図１に示す第１及び第２の直並列変換器２、３は、１つのデータ系列を構成する直列データを、複数のデータ系列を構成する並列データに変換するためのものである。
すなわち、第１の直並列変換器２は、適応フィルタ１から受けた直列データｙｓを集約し、１シンボル分の並列データｙとして、第１の離散フーリエ変換器４に送る。また、第２の直並列変換器３は、受信信号をサンプリングすることにより得られた直列データである受信データｘｓを集約し、１シンボル分の並列データｘとして、第２の離散フーリエ変換器５に送る。
【００２６】
第１及び第２の離散フーリエ変換器４、５は、並列データに、離散フーリエ変換（ＤＦＴ；Discrete Fourier Transform）といったフーリエ変換を施すことにより、時系列データを周波数成分データに変換するためのものである。
すなわち、第１の離散フーリエ変換器４は、第１の直並列変換器２から受けた並列データｙを用いてフーリエ変換を実行することにより伝送データを復調し、等化後のデータＹを特定する。また、第２の離散フーリエ変換器５は、第２の直並列変換器３から受けた並列データｘを用いてフーリエ変換を実行し、受信シンボルＸを特定する。
【００２７】
係数制御器６は、適応フィルタ１のフィルタ係数を制御するためのものである。
すなわち、係数制御器６は、各乗算器１１０〜１１Ｌ−１が受信データｘｓ等のデータに掛け合わせるためのフィルタ係数ｃ０〜ｃＬ−１を生成し、係数ｃとして適応フィルタ１に供給する。ここで、係数制御器６は、第１の離散フーリエ変換器４により特定された等化後のデータＹと、第２の離散フーリエ変換器５により特定された受信シンボルＸとを用いて、例えばＬＭＳ（Least Mean Square；最小２乗法）アルゴリズムに従って各フィルタ係数ｃ０〜ｃＬ−１を求め、係数ｃを生成する。
【００２８】
以下に、この発明の実施の形態に係る直交周波数分割多重信号受信装置１００の動作を説明する。
この直交周波数分割多重信号受信装置１００は、受信信号である中間周波信号を例えばＡ／Ｄ（Analog/Digital）変換器（図示せず）等によりサンプリングして得られた受信データｘｓを受けると、これを適応フィルタ１と第２の直並列変換器３に入力する。
【００２９】
適応フィルタ１は、受信データｘｓを遅延回路１０１〜１０Ｌ−１により遅延させつつ、係数制御器６により生成された係数ｃを掛け合わせ、加算器１２により合成することで、受信データｘｓをフィルタリングした直列データｙｓを生成する。
適応フィルタ１は、生成した直列データｙｓを、第１の直並列変換器２に送る。
【００３０】
第１の直並列変換器２は、適応フィルタ１から受けた直列データｙｓを集約し、１シンボル分の並列データｙとして第１の離散フーリエ変換器４に送る。
第１の離散フーリエ変換器４は、並列データｙにフーリエ変換を施して時系列データから周波数成分データに変換することにより伝送データを復調し、等化後のデータＹとして出力する。この際、第１の離散フーリエ変換器４は、等化後のデータＹを係数制御器６に送る。
【００３１】
また、第２の直並列変換器３は、受信データｘｓを集約し、１シンボル分の並列データｘとして第２の離散フーリエ変換器５に送る。
第２の離散フーリエ変換器５は、並列データｘにフーリエ変換を施して時系列データから周波数成分データに変換することにより受信シンボルＸを特定し、係数制御器６に送る。
【００３２】
次に、係数制御器６が、フィルタ係数ｃ０〜ｃＬ−１から構成される係数ｃを決定する動作について説明する。
以下では、受信データｘｓを、ｘｓ＝ｘｉ＝ｘＩｉ＋ｊｘＱｉとして複素数で表すものとする。ここで、ｘＩは、受信データｘｓの同相成分であり、ｘＱは、受信データｘｓの直交成分である。
【００３３】
まず、適応フィルタ１の構成より、直列データｙｓは、数式１を用いて示すことができる。
【００３４】
【数１】
0003689768.tif 000002
ここで、ｘｓ（ｍ）＝ｘｍ、ｙｓ（ｎ）＝ｙｎとする。また、＊は、共役複素数であることを示す。
【００３５】
次に、第１及び第２の離散フーリエ変換器４、５は、それぞれ並列データｙ、ｘに離散フーリエ変換を施すことから、１シンボル分のデータ数をＮとすれば、等化後のデータＹｋ及び受信シンボルＸｋは、それぞれ数式２、３を用いて示すことができる。
【００３６】
【数２】
0003689768.tif 000003
【００３７】
【数３】
0003689768.tif 000004
【００３８】
ここで、周波数ｆｐｉのキャリアに対応して直交周波数分割多重信号受信装置１００にて既知であるパイロット信号をＧｐｉとし、パイロット信号を伝送するキャリアの周波数ｆｐｉにおける等化後のデータＹｋの値をＹｐｉとすると、これらの残差εは、数式４を用いて求めることができる。
【００３９】
【数４】
0003689768.tif 000005
なお、Ｐは、パイロット信号の数である。
【００４０】
このようにして求められる残差εを用いたＬＭＳアルゴリズムによると、フィルタ係数ｃｍ（ｍ＝０、１、…、Ｌ−１）は、α＞０となるパラメータαを用いて、数式５のように更新すればよい。
【００４１】
【数５】
0003689768.tif 000006
【００４２】
ここで、数式２〜４を用いると、数式６に示す関係が成立する。
【００４３】
【数６】
0003689768.tif 000007
【００４４】
従って、数式５は、数式７のように示すことができる。
【００４５】
【数７】
0003689768.tif 000008
【００４６】
そこで、フィルタ係数ｃｍを生成する係数制御器６を、図３に示すように構成することにより、ＬＭＳアルゴリズムに従ったフィルタ係数ｃｍの更新が可能となる。なお、ここでは一例として、パイロット信号の数Ｐ＝３とした。
また、ｚ計算器２３〜２５は、いずれも図４に示すような同一の構成を有している。
【００４７】
すなわち、各ｚ計算器２３〜２５は、加算器３１により、パイロット信号を伝送するキャリアの周波数ｆｐｉにおける等化後のデータＹｐｉの共役複素数と、直交周波数分割多重信号受信装置１００にて既知であるパイロット信号Ｇｐｉの共役複素数との差を求める。また、各ｚ計算器２３〜２５は移相係数計算器３２により、パイロット信号の挿入位置及びフィルタ係数ｃｍを掛け合わせる信号に加えられた遅延量に対応した移相だけ回転させる作用を有する移相係数ｅｘｐ（−ｊ２πａ／Ｎ）を求める。
各ｚ計算器２３〜２５は、乗算器３３を用いて、加算器３１により求められた値に、移相係数計算器３２により求められた移相係数及び受信シンボルＸｐｉを掛け合わせて、加算器２６に出力する。
【００４８】
加算器２６は、各ｚ計算器２３〜２５から出力された値を加え合わせて合成し、乗算器２７に送る。
乗算器２７は、加算器２６により合成された値にパラメータαを負値化したものを掛け合わせ、加算器２８に送る。
加算器２８は、係数レジスタ２９に記憶されているフィルタ係数ｃｍに、乗算器２７から受けた値を加え合わせ、係数レジスタ２９の記憶内容を更新する。これにより、フィルタ係数ｃｍを更新することができる。
【００４９】
つまり、係数制御器６は、適応フィルタ１の入力となる受信データｘｓをフーリエ変換することにより特定された受信シンボルＸと、適応フィルタ１の出力となる直列データｙｓをフーリエ変換することにより特定されたデータＹとを用いて、適応フィルタ１のフィルタ係数ｃｍをＬＭＳアルゴリズムに従って制御する。
これにより、残差εを低減させるように適応フィルタ１を制御して、受信データｘｓを等化することができ、伝送路応答を適切に補償して伝送データを復調することができる。
【００５０】
以上説明したように、この発明によれば、等化後のデータＹｋ及び受信シンボルＸｋを用いてフィルタ係数ｃｍを求め、受信データｘｓをフィルタリングしたのちフーリエ変換を施すことにより、等化後のデータＹｋを復調する。これにより、伝送路の状態変化に対応してフィルタ係数ｃｍを変更することができ、伝送路応答を適切に補償して伝送データを復調することができる。
また、係数制御器６は、ＬＭＳアルゴリズムに従って、残差εを低減させるようにフィルタ係数ｃｍを制御することから、反射波が複数となる複雑な伝送路であっても、伝送路応答を適切に補償して伝送データを復調することができる。
【００５１】
この発明は、上記実施の形態に限定されず、様々な変形及び応用が可能である。
例えば、図５に示すように、適応フィルタ１がフィルタリングした直列データｙｓを、ＢＰＦ（Band Pass Filter）４０を介してＦＭ（Frequency Modulation）復調器４１に供給することで、同一帯域内で伝送されたアナログ変調波に対しても伝送路応答を補償して、復調することができる。なお、ＦＭ復調器４１は、ＡＭ（Amplitude Modulation）復調器といった任意のアナログ復調器であってもよい。
【００５２】
また、例えば図６に示すように、等化後のデータＹから、従来と同様にしてパイロット信号を検出し、伝送路応答を補償した残差をさらに等化するようにしてもよい。なお、図６において、従来の受信装置と同一の構成には同一の符号を付している。
これにより、適応フィルタ１が受信データｘｓを等化することより補償した伝送路応答の残差を除去することができ、伝送路応答をより適切に補償して伝送データを復調することができる。
【００５３】
上記実施の形態では、直交周波数分割多重信号受信装置１００はハードウェアの回路構成により実現されるものとして説明したが、これに限定されず、コンピュータに動作プログラムを実行させることによっても実現可能である。
すなわち、コンピュータに、上述の直交周波数分割多重信号受信装置１００の各部位に相当する処理を実行させるための動作プログラムを作成してメモリに記憶させる。この動作プログラムを、ＣＰＵ（Central Processing Unit）やＤＳＰ（Digital Signal Processor）といったプロセッサ等を備えて構成されるコンピュータに実行させることにより、上述の動作を実行する直交周波数分割多重信号受信装置を構築することができる。
また、動作プログラムは、ＦＤ、ＣＤ−ＲＯＭ、ＤＶＤなどのコンピュータ読み取り可能な記録媒体に記録して配布するものとしてもよい。さらに、インターネット上のサーバ装置が有するディスク装置等に動作プログラムを記録しておき、コンピュータに、例えば、搬送波に重畳して、ダウンロード等するものとしてもよい。
【００５４】
【発明の効果】
以上の説明のように、この発明によれば、反射波が複数となる複雑な伝送路の場合等であっても、伝送路応答を適切に補償して伝送データを復調することができる。
【図面の簡単な説明】
【図１】この発明の実施の形態に係る直交周波数分割多重信号受信装置の構成を示す図である。
【図２】適応フィルタの構成を示す図である。
【図３】係数制御器の構成を示す図である。
【図４】ｚ計算器の構成を示す図である。
【図５】この発明の実施の形態に係る直交周波数分割多重信号受信装置の変形例を示す図である。
【図６】この発明の実施の形態に係る直交周波数分割多重信号受信装置の変形例を示す図である。
【図７】直交周波数分割多重信号を受信する従来の受信装置の構成を示す図である。
【図８】補間器による伝送路応答の補間について説明するための図である。
【符号の説明】
１    適応フィルタ
２、３、５０    直並列変換器
４、５、５１    離散フーリエ変換器
６    係数制御器
１０１〜１０Ｌ−１    遅延回路
１１０〜１１Ｌ−１、２０〜２２、２７、３３    乗算器
１２、２６、２８、３１    加算器
２３〜２５    ｚ計算器
２９    係数レジスタ
３０    複素共役器
３２    移相係数計算器
４０    ＢＰＦ
４１    ＦＭ復調器
５２    除算器
５３    補間器
５４    パイロット検出器
１００    直交周波数分割多重信号受信装置
【図１】
0003689768.tif 000009
【図２】
0003689768.tif 000010
【図３】
0003689768.tif 000011
【図４】
0003689768.tif 000012
【図５】
0003689768.tif 000013
【図６】
0003689768.tif 000014
【図７】
0003689768.tif 000015
【図８】
0003689768.tif 000016